(57)【要約】  スプリットリング共振器は、グランドパターンから切り離されている第一グランド端子を備える。
2019198588.tif 000002
【特許請求の範囲】
【請求項１】
グランドパターンから切り離されている第一グランド端子
を備える、
スプリットリング共振器。
【請求項２】
前記第一グランド端子が、
直線Ｌからみて、前記スプリットリング共振器におけるスプリットが存在する側、に位置し、
前記直線Ｌ上には、
前記スプリットリング共振器におけるリングの中心である点Ｃが存在し、
前記直線Ｌは、
前記点Ｃと、前記スプリットと、を結ぶ線分と直交する、請求項１に記載のスプリットリング共振器。
【請求項３】
グランドパターンから切り離されている第二グランド端子
を備え、
前記第一グランド端子が、
前記スプリットリング共振器における第一の隅、に位置し、
前記第二グランド端子が、
前記直線Ｌからみて、前記スプリットが存在する側、に位置し、
前記スプリットリング共振器における第二の隅、に位置する、請求項２に記載のスプリットリング共振器。
【請求項４】
グランドパターンから切り離されている第三グランド端子
を備え、
前記第三グランド端子が、
前記直線Ｌからみて、前記スプリットが存在しない側、に位置する、請求項２又は３に記載のスプリットリング共振器。
【請求項５】
前記第一グランド端子が、
直線Ｌからみて、前記スプリットリング共振器におけるスプリットが存在しない側、に位置し、
前記直線Ｌ上には、
前記スプリットリング共振器におけるリングの中心である点Ｃが存在し、
前記直線Ｌは、
前記点Ｃと、前記スプリットと、を結ぶ線分と直交する、請求項１に記載のスプリットリング共振器。
【請求項６】
放射導体
を備える、
請求項５に記載のスプリットリング共振器。
【請求項７】
前記第一グランド端子を含むすべてのグランド端子が、
直線Ｍからみて、片方の側、に位置し、
前記直線Ｍは、
前記スプリットリング共振器におけるリングの中心である点Ｃと、前記スプリットリング共振器におけるスプリットと、結ぶ線分を延伸した直線である、請求項１に記載のスプリットリング共振器。
【請求項８】
前記第一グランド端子が、
直線Ｌからみて、前記スプリットが存在する側、に位置し、
前記直線Ｌ上には、
前記点Ｃが存在し、
前記直線Ｌは、
前記線分と直交する、
請求項７に記載のスプリットリング共振器。
【請求項９】
放射導体が、
直線Ｍからみて、前記第一グランド端子が存在しない側、
に備えられている、
請求項７または８に記載のスプリットリング共振器。
【請求項１０】
請求項１から９のいずれかに記載のスプリットリング共振器におけるグランドパターンから切り離されているグランド端子と、接続される端子
を備える、
基板。
【請求項１１】
請求項１から９のいずれかに記載のスプリットリング共振器におけるグランドパターンから切り離されているグランド端子と、接続される端子
を備える、
コネクタ。
【発明の詳細な説明】
【技術分野】
【０００１】
本発明は、スプリットリング共振器、基板、及びコネクタに関する。
【背景技術】
【０００２】
無線通信装置に用いられる小型アンテナとして、スプリットリング共振器を用いたアンテナが知られている。
例えば、特許文献１に、スプリットリング共振器を備えた無線通信装置が開示されている。
【先行技術文献】
【特許文献】
【０００３】
【特許文献１】国際公開第２０１３／０２７８２４号
【発明の概要】
【発明が解決しようとする課題】
【０００４】
特許文献１におけるスプリットリング共振器は、基板上に直接、グランドパターンに接続された状態で実装されている。
このため、特許文献１に開示されている態様では、スプリットリング共振器を、部品として単体で流通させたり、設計の要求に応じて柔軟に組み合わせたりすることができない。
すなわち、特許文献１に開示されている態様では、スプリットリング共振器を、部品として取り扱うことができない。【０００５】
本開示のある態様の目的は、上述したいずれかの課題を解決するスプリットリング共振器、基板、及びコネクタを提供することにある。
【課題を解決するための手段】
【０００６】
本開示のある態様に係るスプリットリング共振器は、グランドパターンから切り離されている第一グランド端子を備える。【０００７】
本開示のある態様に係る基板は、本開示のある態様に係るスプリットリング共振器におけるグランドパターンから切り離されているグランド端子と、接続される端子とを備える。【０００８】
本開示のある態様に係るコネクタは、本開示のある態様に係るスプリットリング共振器におけるグランドパターンから切り離されているグランド端子と、接続される端子とを備える。
【発明の効果】
【０００９】
本開示における様々な態様によれば、スプリットリング共振器を、部品として取り扱うことができる。
【図面の簡単な説明】
【００１０】
【図１】本開示のある態様に係るスプリットリング共振器の平面図である。
【図２】本開示のある態様に係るスプリットリング共振器の平面図である。
【図３】本開示のある態様に係るスプリットリング共振器の平面図である。
【図４】本開示のある態様に係るスプリットリング共振器の斜視図である。
【図５】本開示のある態様に係るスプリットリング共振器の斜視図である。
【図６】本開示のある態様に係るスプリットリング共振器の平面図である。
【図７】本開示のある態様に係る基板の平面図である。
【図８】本開示のある態様に係る基板の平面図である。
【図９】本開示のある態様に係るコネクタの斜視図である。
【図１０】本開示のある態様に係るコネクタと主回路基板との接続を説明する図である。
【図１１】本開示のある態様に係るスプリットリング共振器を説明する図である。
【図１２】本開示のある態様に係るスプリットリング共振器の平面図である。
【図１３】本開示のある態様に係るスプリットリング共振器の平面図である。
【図１４】本開示のある態様に係るスプリットリング共振器の斜視図である。
【図１５】本開示のある態様に係るスプリットリング共振器における電流を比較する図である。
【図１６】本開示のある態様に係るスプリットリング共振器の平面図である。
【図１７】本開示のある態様に係るスプリットリング共振器の平面図である。
【図１８】本開示のある態様に係るスプリットリング共振器の斜視図である。
【図１９】本開示のある態様に係るスプリットリング共振器の反射損失特性を示すグラフである。
【図２０】本開示のある態様に係るスプリットリング共振器の平面図である。
【図２１】本開示のある態様に係るスプリットリング共振器の平面図である。
【図２２】本開示のある態様に係るスプリットリング共振器の斜視図である。
【図２３】本開示のある態様に係るスプリットリング共振器における電流を比較する図である。
【図２４】本開示のある態様に係るスプリットリング共振器の反射損失特性を示すグラフである。
【図２５】本開示のある態様に係るスプリットリング共振器の平面図である。
【図２６】本開示のある態様に係るスプリットリング共振器の平面図である。
【図２７】本開示のある態様に係るスプリットリング共振器の斜視図である。
【図２８】本開示のある態様に係るスプリットリング共振器と基板との接続形態を比較する図である。
【図２９】本開示のある態様に係るスプリットリング共振器とコネクタの接続形態を比較する図である。
【図３０】本開示のある態様に係るスプリットリング共振器の平面図である。
【図３１】本開示のある態様に係るスプリットリング共振器の平面図である。
【図３２】本開示のある態様に係るスプリットリング共振器の斜視図である。
【図３３】放射導体における電流を説明する図である。
【図３４】本開示のある態様に係るスプリットリング共振器の平面図である。
【図３５】本開示のある態様に係るスプリットリング共振器の平面図である。
【図３６】本開示のある態様に係るスプリットリング共振器の斜視図である。
【図３７】本開示のある態様に係るスプリットリング共振器と基板との接続形態を比較する図である。
【図３８】本開示のある態様に係るスプリットリング共振器の平面図である。
【図３９】本開示のある態様に係るスプリットリング共振器の平面図である。
【図４０】本開示のある態様に係るスプリットリング共振器の斜視図である。
【図４１】本開示のある態様に係るスプリットリング共振器の平面図である。
【図４２】本開示のある態様に係るスプリットリング共振器の平面図である。
【図４３】本開示のある態様に係るスプリットリング共振器の斜視図である。
【図４４】実施形態に係るスプリットリング共振器の放射導体における電流を示す平面図である。
【図４５】実施形態に係るスプリットリング共振器をリードによって基板に接続するための構成の一例を示す斜視図である。
【図４６】実施形態に係るスプリットリング共振器をリードによって基板に接続するための構成の他の例を示す斜視図である。
【図４７】実施形態に係るスプリットリング共振器をリードによって基板に接続するための構成のさらに他の例を示す斜視図である。
【図４８】実施形態に係るスプリットリング共振器をリードによって基板に接続するための構成のさらに他の例を示す斜視図である。
【図４９】実施形態に係るスプリットリング共振器をリードによって基板に接続するための構成のさらに他の例を示す斜視図である。
【図５０】実施形態に係るスプリットリング共振器をリードによって基板に接続するための構成のさらに他の例を示す斜視図である。
【図５１】実施形態に係るスプリットリング共振器をリードによって基板に接続するための構成のさらに他の例を示す斜視図である。
【図５２】実施形態に係るスプリットリング共振器をリードによって基板に接続するための構成のさらに他の例を示す斜視図である。
【図５３】実施形態に係るスプリットリング共振器をリードによって基板に接続するための構成のさらに他の例を示す斜視図である。
【図５４】実施形態に係るスプリットリング共振器をリードによって基板に接続するための構成のさらに他の例を示す斜視図である。
【図５５】実施形態に係るスプリットリング共振器をリードによって基板に接続するための構成のさらに他の例を示す斜視図である。
【図５６】実施形態に係るスプリットリング共振器をリードによって基板に接続するための構成のさらに他の例を示す斜視図である。
【図５７】実施形態に係るスプリットリング共振器をリードによって基板に接続するための構成のさらに他の例を示す斜視図である。
【図５８】実施形態に係るスプリットリング共振器をリードによって基板に接続するための構成のさらに他の例を示す斜視図である。
【発明を実施するための形態】
【００１１】
本開示における様々な態様は、あくまで例示であり、特許請求の範囲に記載された発明の技術的範囲の限定を意図するものではない。
【００１２】
本開示のある態様に係るスプリットリング共振器１１は、グランドパターンから切り離されているグランド端子１４を備える。
【００１３】
図１、図２、図３は、本開示のある態様に係るスプリットリング共振器１１の例を示す図である。
【００１４】
例えば、スプリットリング共振器１１におけるリングの中心を、点Ｃと呼ぶこととする。
例えば、スプリットリング共振器１１におけるスプリットと、点Ｃと、を結ぶ線分を、線分ｍと呼ぶこととする。
例えば、線分ｍを延伸した直線を、直線Ｍと呼ぶこととする。
例えば、線分ｍ（ないし直線Ｍ）と直交し、点Ｃを通る直線を直線Ｌと呼ぶこととする。つまり、直線Ｌ上には、点Ｃが存在する。
例えば、直線Ｍが延びる方向を、Ｙ軸方向と呼ぶこととする。
例えば、直線Ｌが延びる方向を、Ｘ軸方向と呼ぶこととする。
【００１５】
例えば、スプリットリング共振器１１は、スプリットリング部１２を、備えてもよい。
例えば、スプリットリング部１２は、スプリット部１２ｇと、スプリット部１２ｇを挟んでＸ軸方向に延びる第一導体１２ａと、Ｘ軸方向に延びる第二導体１２ｂと、Ｙ軸方向に延びる第三導体１２ｃと、Ｙ軸方向に延びる第四導体１２ｄと、により、方形リングに沿った略Ｃ字の形状として、形成されていてもよい。
例えば、スプリットリング部１２は、円形リング、楕円形リング、トラックリング等、その他様々なリングに沿った形状でもよい。
例えば、スプリットリング部１２は、板金で形成されていてもよい。
【００１６】
例えば、スプリットリング共振器１１は、グランドパターンから切り離されているグランド端子１４を備えてもよい。
例えば、スプリットリング共振器１１は、グランド端子１４だけでなく、グランドパターンから切り離されているグランド端子１４を複数備えてもよい。
例えば、グランド端子１４は、グランドパターンと電気的に接続できる態様であればどのような態様であってもよい。
例えば、グランド端子１４は、はんだ付け、圧着、コネクタ、ピン等により、グランドパターンと電気的に接続されるものであってもよい。
例えば、グランド端子１４は、図１に示すような、ランドパターンであってもよい。
例えば、グランド端子１４は、図２に示すような、スプリットリング共振器１１の外周から外側へ突出するパターンであってもよい。
例えば、グランド端子１４は、図３に示すような、スプリットリング共振器１１の被覆を部分的に剥がした露出パターンであってもよい。
例えば、グランド端子１４に限らず、本開示におけるいずれのグランド端子についても、グランドパターンと電気的に接続できる態様であればどのような態様であってもよい。
例えば、グランド端子１４は、板金で形成されていてもよい。
【００１７】
図４、図５、図６は、本開示のある態様に係るスプリットリング共振器１１の例を示す図である。
図４、図５、図６には、スプリットリング共振器１１が、グランド端子１４を１つ備える構成が示されている。
しかし、スプリットリング共振器１１は、グランド端子を、２つ以上備えていてもよい。
【００１８】
例えば、スプリットリング共振器１１は、図４に示すように、スプリットリング部１２と、グランド端子１４と、給電端子１３と、を備えてもよい。
例えば、給電端子１３は、電線及び板金で形成されていてもよい。
例えば、給電端子１３は、スプリットリング部１２にＲＦ（Ｒａｄｉｏ  Ｆｒｅｑｕｅｎｃｙ）信号を給電するための端子であってもよい。
例えば、給電端子１３は、スプリットリング部１２に接続されてもよい。
例えば、給電端子１３には、伝送線路が接続されてもよい。
例えば、給電端子１３は、第一導体１２ａに接続されてもよい。
【００１９】
例えば、スプリットリング共振器１１は、図５に示すように、スプリットリング部１２と、グランド端子１４と、給電端子１３と、チップ本体１５と、を備えてもよい。
【００２０】
例えば、スプリットリング共振器１１は、図６に示すように、スプリットリング部１２と、グランド端子１４と、給電端子１３と、プリント基板１５’と、を備えてもよい。
例えば、スプリットリング部１２と、グランド端子１４と、給電端子１３と、は、図６に示すように、プリント基板１５’の一面に備えられてもよい。
例えば、プリント基板１５’は、単層構成でも、多層構成でもよい。
例えば、プリント基板１５’が多層構成である場合、スプリットリング部１２と、グランド端子１４と、給電端子１３とは、いずれかの層に備えられてもよい。
【００２１】
本開示のある態様に係る基板は、本開示のある態様に係るスプリットリング共振器におけるグランドパターンから切り離されているグランド端子と接続される端子を備える。
【００２２】
図７、図８は、本開示のある態様に係る基板１０１の例を示す図である。
【００２３】
例えば、基板１０１は、外側が方形のグランドパターン１０１ｇを備えてもよい。
例えば、基板１０１は、受け端子１０１ｒを備えてもよい。
例えば、受け端子１０１ｒとは、本開示のある態様に係るスプリットリング共振器におけるグランドパターンから切り離されているグランド端子と接続される端子であってもよい。
例えば、基板１０１は、図７に示すように、本開示のある態様に係るスプリットリング共振器の形状や寸法に応じた空隙１０１ａを備えてもよい。
この場合、例えば、図７に示すように、本開示のある態様に係るスプリットリング共振器を空隙１０１ａに収容し、本開示のある態様に係るスプリットリング共振器におけるグランドパターンから切り離されているグランド端子と、受け端子１０１rと、を接続することで、アンテナを形成してもよい。
例えば、基板１０１は、図８に示すように、本開示のある態様に係るスプリットリング共振器の形状や寸法に応じた空隙を備えていなくてもよい。
この場合、例えば、図８に示すように、本開示のある態様に係るスプリットリング共振器を、グランドパターン１０１ｇ’における辺や縁に隣接させ、本開示のある態様に係るスプリットリング共振器におけるグランドパターンから切り離されているグランド端子と、受け端子１０１ｒと、を接続することで、アンテナを形成してもよい。
【００２４】
本開示のある態様に係るコネクタは、本開示のある態様に係るスプリットリング共振器におけるグランドパターンから切り離されているグランド端子と接続される端子を備える。
【００２５】
図９、図１０は、本開示のある態様に係るコネクタ１０２の例を示す図である。
【００２６】
例えば、コネクタ１０２は、グランドパターン１０２ｇを備えてもよい。
例えば、コネクタ１０２は、受け端子１０２ｒを備えてもよい。
例えば、コネクタ１０２は、給電パターン１０２ｓを備えてもよい。
例えば、コネクタ１０２は、給電パターン１０２ｓの延びる方向を軸方向とし、グランドパターン１０２ｇを周面とする円筒形状として、形成されることで、給電パターン１０２ｓをコネクタ芯線とし、グランドパターン１０２ｇをコネクタ外導体とする同軸コネクタとして、形成されていてもよい。
【００２７】
例えば、グランドパターン１０２ｇは、コネクタ１０２の軸方向の一端においてねじ形状を有し、対応するねじ形状を有する他のグランドパターンと電気的及び機構的に接続することが可能となっていてもよい。
例えば、コネクタ１０２は、軸方向他端側に、グランドパターン１０２gと隣接して誘電体キャップ１０２ｃを備えることで、スプリットリング共振器１１を、誘電体キャップ１０２ｃに収容可能となっていてもよい。
例えば、スプリットリング共振器１１は、コネクタ１０２の軸方向他端側おいて、グランドパターン１０２ｇと隣接して設けられていてもよい。
例えば、グランドパターン１０２gは、受け端子１０２ｒを介してグランド端子１４と接続され、給電パターン１０２ｓは、給電端子１３と接続されてもよい。
【００２８】
例えば、コネクタ１０２は、グランドパターン１０２ｇにメスねじ形状を有することでメスコネクタとなってもよい。
例えば、コネクタ１０２は、オスコネクタを有する主回路基板１０３に接続してもよい。
例えば、図９に示すように、グランドパターン１０２ｇを介して、主回路基板１０３の主グランドパターン１０３ｇに、スプリットリング共振器１１（グランド端子１４）を接続してもよい。
例えば、グランドパターン１０２ｇは、メスねじ形状でもオスねじ形状でもどちらであってもよい。
例えば、図１０に示すように、コネクタ１０２のグランドパターン１０２ｇがオスねじ形状を有し、コネクタ１０２は、メスコネクタを有する主回路基板に接続してもよい。
【００２９】
グランド端子１４がグランドパターンに接続されると、スプリットリング共振器２１における給電端子１３とグランド端子１４との間に、ＲＦ信号に応じた電流を流すことができる。
したがって、以上の本開示のある態様に係るスプリットリング共振器を、以上の本開示のある態様に係る基板や、以上の本開示のある態様に係るコネクタと、組み合わせることで、アンテナを形成することができる。
したがって、以上の、本開示のある態様によれば、スプリットリング共振器を、部品として単体で流通させたり、設計の要求に応じて柔軟に組み合わせたりすることができる。
【００３０】
本開示のある態様に係るスプリットリング共振器２１は、スプリットリング共振器１１において、第一グランド端子が、直線Ｌからみて、スプリットリング共振器におけるスプリットが存在する側に位置する。直線Ｌ上には、スプリットリング共振器におけるリングの中心である点Ｃが存在し、直線Ｌは、点Ｃと、スプリットとを結ぶ線分ｍと直交する。
【００３１】
図１１、図１２、図１３、図１４は、本開示のある態様に係るスプリットリング共振器２１の例を示す図である。
【００３２】
例えば、スプリットリング共振器における各領域を定義することとする。
【００３３】
（スプリットリング共振器の上側）
図１１に示すように、直線Ｌよりスプリットリング共振器のスプリット側をスプリットリング共振器の上側ＲＵとすることとする。
例えば、スプリットリング部１２のうち、上半分の部分（スプリット部１２ｇと、第一導体１２aと、第三導体１２ｃのうち第二導体１２ｂより第一導体１２aに近い部分と、第四導体１２ｄのうち第二導体１２ｂより第一導体１２aに近い部分と、からなる部分）がスプリットリング共振器の上側ＲＵとなるように構成されていてもよい。
【００３４】
（スプリットリング共振器の下側）
図１１に示すように、直線Ｌよりスプリットリング共振器のスプリット側の反対側をスプリットリング共振器の下側ＲＤとすることとする。
例えば、スプリットリング部１２のうち、下半分の部分（第二導体１２ｂと、第三導体１２ｃのうち第一導体１２ａより第二導体１２ｂに近い部分と、及び第四導体１２ｄのうち第一導体１２ａより第二導体１２ｂに近い部分と、からなる部分）がスプリットリング共振器の下側ＲＤとなるように構成されてもよい。
【００３５】
（スプリットリング共振器の右側）
図１１に示すように、直線Ｍよりスプリットリング共振器の一方側（図９の右側）を右側ＲＲとする。
例えば、スプリットリング部１２のうち、右半分の部分（第三導体１２ｃと、第一導体１２ａのうち第四導体１２ｄより第三導体１２ｃに近い部分と、スプリット部１２ｇのうち第四導体１２ｄより第三導体１２ｃに近い部分と、第二導体１２ｂのうち第四導体１２ｄより第三導体１２ｃに近い部分と、からなる部分）がスプリットリング共振器の右側ＲＲとなるように構成されてもよい。
【００３６】
（スプリットリング共振器の左側）
図１１に示すように、直線Ｍより他方側（図９の左側）を左側ＲＬとする。
例えば、スプリットリング部１２のうち、左半分の部分（第四導体１２ｄと、第一導体１２ａのうち第三導体１２ｃより第四導体１２ｄに近い部分と、スプリット部１２ｇのうち第三導体１２ｃより第四導体１２ｄに近い部分と、第二導体１２ｂのうち第三導体１２ｃより第四導体１２ｄに近い部分と、からなる部分）がスプリットリング共振器の左側ＲＬとなるように構成されてもよい。
【００３７】
例えば、スプリットリング共振器２１は、スプリットリング共振器２１の上側ＲＵに、グランド端子１４を備えてもよい。
例えば、第三導体１２ｃの位置、第四導体１２ｄの各導体の位置に、それぞれグランド端子１４が一つずつ設けられてもよい。
例えば、各グランド端子１４は、第三導体１２ｃ、第四導体１２ｄの各導体に、それぞれ接続されてもよい。
【００３８】
例えば、スプリットリング共振器２１は、基板１０１の空隙１０１ａの位置に設けられてもよい。
例えば、スプリットリング共振器２１は、スプリット部１２ｇの離間方向が、空隙１０１ａの広がる方向を向くように、空隙１０１ａに設けられてもよい。
例えば、空隙１０１ａにスプリットリング共振器２１が収まるように、スプリットリング共振器２１は、基板１０１に設けられてもよい。ここで、空隙１０１ａの広がる方向とは、グランドパターン１０１ｇの方形の各辺のうち、矩形に切り欠かれた一辺が延びる方向をいうこととする。
【００３９】
例えば、各グランド端子１４は、グランドパターン１０１ｇと、はんだ付け、圧着等によって電気的に接続されてもよい。
例えば、各グランド端子１４は、グランドパターン１０１ｇと、はんだＳＲを介して接続されてもよい。
例えば、第一導体１２ａには、ＲＦ信号を給電するための給電線ＷＳが接続されてもよい。
【００４０】
例えば、第三導体１２ｃの位置、第四導体１２ｄの各導体の位置は、スプリットリング共振器２１の上側ＲＵであればどのような位置に設けられてもよい。
例えば、グランド端子１４は、第一導体１２aの位置に設けられてもよい。その際、グランド端子１４は、第一導体１２aに接続されてもよい。
例えば、グランド端子１４よりもスプリット部１２ｇに近い位置であれば、第三導体１２ｃ又は第四導体１２ｄに接続されてもよい。
例えば、給電線ＷＳは、スプリット部１２ｇに接続されてもよい。
【００４１】
本開示のある態様に係る基板は、本開示のある態様に係るスプリットリング共振器２１におけるグランドパターンから切り離されているグランド端子と接続される端子を備える。
【００４２】
図１２、図１３は、本開示のある態様に係る基板１０１の例を示す図である。
【００４３】
例えば、スプリットリング共振器２１は、スプリットリング共振器２１の上側ＲＵに、グランド端子１４を備えてもよい。
例えば、第三導体１２ｃの位置、第四導体１２ｄの各導体の位置に、それぞれグランド端子１４が一つずつ設けられている。各グランド端子１４は、第三導体１２ｃ、第四導体１２ｄの各導体に、それぞれ接続されてもよい。
【００４４】
例えば、スプリットリング共振器２１は、基板１０１の縁部に隣接して設けられてもよい。
例えば、スプリットリング共振器２１は、スプリット部１２ｇの離間方向が、隣接する基板１０１の縁部が延びる方向となるように設けられてもよい。
例えば、各グランド端子１４は、グランドパターン１０１ｇ’と、電線ＷＲを介して、はんだ付け、圧着等によって電気的に接続されてもよい。
例えば、給電線ＷＳと電線ＷＲが、コネクタの芯線と外導体で実現されていてもよい。
【００４５】
例えば、グランド端子１４は、スプリットリング共振器２１の上側ＲＵであればどのような位置に設けられてもよい。
例えば、グランド端子１４は、第一導体１２aの位置に設けられても良い。その際、グランド端子１４は、第一導体１２aに接続されてもよい。
【００４６】
本開示のある態様に係るコネクタは、本開示のある態様に係るスプリットリング共振器２１におけるグランドパターンから切り離されているグランド端子と接続される端子を備える。
【００４７】
図１４は、本開示のある態様に係るコネクタ１０２の例を示す図である。
【００４８】
例えば、スプリットリング共振器２１は、スプリットリング共振器２１の上側ＲＵに、グランド端子１４を備える。本実施形態では、第三導体１２ｃの位置、第四導体１２ｄの各導体の位置に、それぞれグランド端子１４が一つずつ設けられてもよい。
例えば、各グランド端子１４は、第三導体１２ｃ、第四導体１２ｄの各導体に、それぞれ接続されてもよい。
【００４９】
例えば、スプリットリング共振器２１は、コネクタ１０２に設けられてもよい。
例えば、スプリットリング共振器２１は、スプリット部１２ｇの離間方向が、コネクタ１０２の径方向となるように設けられてもよい。
例えば、各グランド端子１４は、グランドパターン１０２ｇと、電線ＷＲを介して、はんだ付け、圧着等によって電気的に接続されてもよい。
【００５０】
例えば、スプリットリング共振器２１の上側ＲＵであればどのような位置に設けられてもよい。
例えば、グランド端子１４は、第一導体１２aの位置に設けられても良い。その際、グランド端子１４は、第一導体１２aに接続されてもよい。
【００５１】
図１５に示すように、スプリットリング共振器２１を空隙に設ける場合（図１２に示すスプリットリング共振器２１の場合）、空隙に設けない場合（図１３に示すスプリットリング共振器２１場合）に比べて、放射に寄与する電流Ｉｒがスプリットリング共振器２１の上側に流れやすい。このため、図１２に示すスプリットリング共振器２１では、上側にグランド端子１４があることで、電流Ｉｒが、グランド端子１４を介した他の導体に流れやすい。これによって、スプリットリング共振器２１の放射特性がよくできる。
さらにスプリットリング共振器２１を空隙に設ける場合、空隙にスプリットリング共振器が収まるように接続される。このため、図１２に示すスプリットリング共振器２１では、電流Ｉｒが、スプリットリング共振器２１の上側において、そのままグランド端子１４を介して向きが変わることなく、基板１０１のグランドパターン１０１ｇの辺上を流れることができる。したがって、よりスプリットリング共振器２１の放射特性をよくできる。
【００５２】
本開示のある態様に係るスプリットリング共振器３１は、スプリットリング共振器２１において、グランドパターンから切り離されている第二グランド端子を備え、第一グランド端子が、スプリットリング共振器３１における第一の隅に位置する。第二グランド端子は、直線Ｌからみて、スプリットが存在する側に位置し、スプリットリング共振器における第二の隅に位置する。
【００５３】
図１６、図１７、図１８は、本開示のある態様に係るスプリットリング共振器３１の例を示す図である。
【００５４】
例えば、スプリットリング共振器３１は、スプリットリング共振器３１の上側ＲＵの２隅（第一導体１２ａと第三導体１２ｃとが交わる部分と、第一導体１２ａと第四導体１２ｄとが交わる部分と、の２つの部分）の位置に、それぞれグランド端子１４を備えてもよい。
【００５５】
本開示のある態様に係る基板は、本開示のある態様に係るスプリットリング共振器３１におけるグランドパターンから切り離されているグランド端子と接続される端子を備える。
【００５６】
図１６、図１７は、本開示のある態様に係る基板１０１の例を示す図である。
【００５７】
例えば、スプリットリング共振器３１は、スプリットリング共振器３１の上側ＲＵの２隅（第一導体１２ａと第三導体１２ｃとが交わる部分と、第一導体１２ａと第四導体１２ｄとが交わる部分と、の各部分）の位置に、それぞれグランド端子１４を備えてもよい。
【００５８】
本開示のある態様に係るコネクタは、本開示のある態様に係るスプリットリング共振器３１におけるグランドパターンから切り離されているグランド端子と接続される端子を備える。
【００５９】
図１８は、本開示のある態様に係るコネクタ１０２の例を示す図である。
【００６０】
例えば、スプリットリング共振器３１は、スプリットリング共振器３１の上側ＲＵの２隅（第一導体１２ａと第三導体１２ｃとが交わる部分と、第一導体１２ａと第四導体１２ｄとが交わる部分と、の各部分）の位置に、それぞれグランド端子１４を備えてもよい。
【００６１】
さらに、図１６、図１７、図１８に示すスプリットリング共振器３１では、スプリットリング共振器３１の上側ＲＵの２隅にグランド端子１４があるため、図１２、図１３、図１４に示すスプリットリング共振器２１に比べて、より辺上に沿って電流Ｉｒが流れやすい。このため、さらにスプリットリング共振器３１の放射特性を良好にできる。
【００６２】
図１９には、同条件における各スプリットリング共振器の反射損失の周波数特性を示す。
曲線ａは、図１５に示すスプリットリング共振器３１の反射損失曲線を示す。
曲線ｂは、図１２に示すスプリットリング共振器２１の反射損失曲線を示す。
曲線ｃは、後に図２１に示す第七実施形態におけるスプリットリング共振器５１の反射損失曲線を示す。
曲線ｄは、参考例として、後に示すスプリットリング共振器４１において、グランド端子１４を設けず、グランド端子４４だけを設けた場合のスプリットリング共振器の反射損失曲線を示す。
図１９に示すように、共振周波数ｆｏにおける反射損失は、曲線ｄ、曲線ｃ、曲線ｂ、曲線ａの順に小さくなる。
特に曲線ａにおける反射損失特性は、スプリットリング共振器を回路基板に一体に形成した場合（一体基板時）の反射損失特性に最も近い特性となる。
【００６３】
本開示のある態様に係るスプリットリング共振器４１は、スプリットリング共振器２１又はスプリットリング共振器３１において、グランドパターンから切り離されている第三グランド端子を備え、第三グランド端子が、直線Ｌからみて、スプリットが存在しない側に位置する。
【００６４】
図２０、図２１、図２２は、本開示のある態様に係るスプリットリング共振器４１の例を示す図である。
【００６５】
例えば、スプリットリング共振器４１は、スプリットリング共振器４１の上側ＲＵに、グランド端子１４を備える。
例えば、第三導体１２ｃ、第四導体１２ｄの各導体の位置に、グランド端子１４が一つずつ設けられてもよい。
例えば、スプリットリング共振器４１は、スプリットリング共振器４１の下側ＲＤに、グランド端子４４をさらに備えてもよい。
例えば、グランド端子４４は、第二導体１２ｂの位置に設けられていてもよい。
グランド端子４４は、第二導体１２ｂに接続されてもよい。
例えば、グランド端子４４は、グランドパターン１０１ｇと、はんだＳＲを介して接続されてもよい。
【００６６】
本開示のある態様に係る基板は、本開示のある態様に係るスプリットリング共振器４１におけるグランドパターンから切り離されているグランド端子と接続される端子を、備える。
【００６７】
図２０、図２１は、本開示のある態様に係る基板１０１の例を示す図である。
【００６８】
例えば、スプリットリング共振器４１は、スプリットリング共振器４１の下側ＲＤに、グランド端子４４をさらに備えてもよい。
例えば、グランド端子４４は、第二導体１２ｂの位置に設けられてもよい。
例えば、グランド端子４４は、第二導体１２ｂに接続されてもよい。
例えば、グランド端子４４は、グランドパターン１０１ｇとはんだＳＲを介して接続されてもよい。
【００６９】
本開示のある態様に係るコネクタは、本開示のある態様に係るスプリットリング共振器４１におけるグランドパターンから切り離されているグランド端子と接続される端子を備える。
【００７０】
図２２は、本開示のある態様に係るコネクタ１０２の例を示す図である。
【００７１】
例えば、スプリットリング共振器４１は、スプリットリング共振器４１の上側ＲＵにグランド端子１４を備える。
例えば、第三導体１２ｃ、第四導体１２ｄの各導体の位置にグランド端子１４が一つずつ設けられてもよい。
スプリットリング共振器４１は、スプリットリング共振器４１の下側ＲＤにグランド端子４４をさらに備える。
例えば、グランド端子４４は、第二導体１２ｂの位置に設けられてもよい。
例えば、グランド端子４４は、第二導体１２ｂに接続されてもよい。
例えば、グランド端子４４は、グランドパターン１０１ｇと、電線ＷＲを介してはんだ付け、圧着等によって電気的に接続されてもよい。
例えば、図１８に示すスプリットリング共振器にグランド端子４４を適用してもよい。
例えば、図１４に示すスプリットリング共振器にグランド端子４４を適用してもよい。
【００７２】
図２０に示すスプリットリング共振器４１では、給電のグランドのためのグランド端子４４が、スプリットリング共振器４１の下側に備えられている。ここで、給電点が上側辺上（スプリット部１２ｇを含む第一導体１２ａ）にあり、その給電点に接続された給電線ＷＳが、スプリットリング共振器４１のリング内の開口を跨いでスプリットリング共振器４１の下側に延伸されるとする。この場合、給電電流Ｉｓのリターン電流Ｉｇが上側のグランド端子１４まで迂回することなく、直接、スプリットリング共振器４１からグランドパターン１０１ｇに到達できる。このため、図２３に示すように、図１２に示すスプリットリング共振器２１に比べて、図２０に示すスプリットリング共振器４１は、インピーダンスの変化が少なく、よりマッチングが得やすくなる。
したがって、図２４に示すように、共振周波数ｆｏにおける反射損失は、図１２に示すスプリットリング共振器２１に比べて、図２０に示すスプリットリング共振器４１の方が小さくなる。ここで、曲線ａ’、曲線ｂ’は、図１９の時とは異なる条件におけるスプリットリング共振器４１、スプリットリング共振器２１の反射損失の周波数特性をそれぞれ示す。
【００７３】
本開示のある態様に係るスプリットリング共振器５１は、スプリットリング共振器２１において、第一グランド端子が、直線Ｌからみて、スプリットリング共振器におけるスプリットが存在しない側に位置する。直線Ｌ上には、スプリットリング共振器におけるリングの中心である点Ｃが存在し、直線Ｌは、点Ｃと、スプリットとを結ぶ線分ｍと直交する（図１参照）。
【００７４】
図２５、図２６、図２７は、本開示のある態様に係るスプリットリング共振器５１の例を示す図である。
【００７５】
例えば、スプリットリング共振器５１は、スプリットリング共振器５１の下側ＲＤに、グランド端子１４を備えてもよい。
例えば、スプリットリング共振器５１の下側ＲＤの２隅（第二導体１２ｂと第三導体１２ｃとが交わる部分と、第二導体１２ｂと第四導体１２ｄとが交わる部分と、の各部分）の位置にそれぞれグランド端子１４を備えてもよい。
【００７６】
例えば、スプリットリング共振器５１の下側ＲＤの２隅にそれぞれグランド端子１４が設けられているが、スプリットリング共振器５１の下側ＲＤであればどのような位置に設けられてもよい。
例えば、グランド端子１４は、第二導体１２ｂの位置に設けられてもよい。
例えば、グランド端子１４は、第三導体１２ｃの位置、第四導体１２ｄの各導体の位置にそれぞれ設けられてもよい。
【００７７】
本開示のある態様に係る基板は、本開示のある態様に係るスプリットリング共振器５１におけるグランドパターンから切り離されているグランド端子と接続される端子を備える。
【００７８】
図２５、図２６は、本開示のある態様に係る基板１０１の例を示す図である。
【００７９】
例えば、スプリットリング共振器５１は、基板１０１の縁部に隣接して設けられてもよい。
例えば、スプリットリング共振器５１は、スプリット部１２ｇの離間方向が、隣接する基板１０１の縁部が延びる方向となるように設けられてもよい。
【００８０】
本開示のある態様に係るコネクタは、本開示のある態様に係るスプリットリング共振器５１におけるグランドパターンから切り離されているグランド端子と接続される端子を、備える。
【００８１】
図２７は、本開示のある態様に係るコネクタ１０２の例を示す図である。
【００８２】
例えば、スプリットリング共振器５１は、グランドパターン１０２ｇと隣接してコネクタ１０２に設けられる。
例えば、スプリットリング共振器５１は、スプリット部１２ｇの離間方向が、コネクタ１０２の径方向となるように設けられてもよい。
例えば、グランド端子１４はグランドパターン１０２ｇに電線ＷＲを介して接続されてもよい。
【００８３】
スプリット部１２ｇが、基板１０１のグランドパターン１０１ｇ’がある方とは異なる方向に向いているとする。この場合、図２８に示すように、空隙を有さないグランドパターン１０１ｇ’に接続する際、図１３に示すスプリットリング共振器２１より、下側にグランド端子１４がある図２６に示すスプリットリング共振器５１の方が、短い距離でのグランドパターン１０１ｇ’に接続できる。したがって、図１３に示すスプリットリング共振器２１より、図２６に示すスプリットリング共振器５１の方が、構造上、基板１０１に接続しやすい。
【００８４】
スプリット部１２ｇは、コネクタ１０２のグランドパターン１０２ｇがある方とは異なる方向に向いているとする。この場合、図２９に示すように、図１４に示すスプリットリング共振器２１より、下側にグランド端子がある図２７に示すスプリットリング共振器５１の方が、短い距離でグランドパターン１０２ｇに接続できる。したがって、図１４に示すスプリットリング共振器２１より、図２７に示すスプリットリング共振器５１の方が、構造上、コネクタ１０２に接続しやすい。
【００８５】
本開示のある態様に係るスプリットリング共振器６１は、スプリットリング共振器５１において、放射導体を備える。
【００８６】
図３０、図３１、図３２は、本開示のある態様に係るスプリットリング共振器６１の例を示す図である。
【００８７】
例えば、スプリットリング共振器６１は、放射導体１６を備えてもよい。
例えば、スプリットリング共振器６１は、スプリット部１２ｇの離間方向に対向して離れている一対の放射導体１６（放射導体１６Ｒ及び放射導体１６Ｌ）を備えてもよい。
例えば、放射導体１６Ｒ及び放射導体１６Ｌは、互いに離間方向に離れるように延びていてもよい。
例えば、放射導体１６Ｒ及び放射導体１６Ｌは、離間方向に延びる面形状の板金で形成されていてもよい。
例えば、放射導体１６は、スプリットリング共振器６１の上側ＲＵに設けられていてもよい。
例えば、放射導体１６Ｒは、第三導体１２ｃに接続されていてもよい。
例えば、放射導体１６Ｌは、第四導体１２ｄに接続されていてもよい。
例えば、放射導体１６Ｒ及び放射導体１６Ｌがグランドパターン１０１ｇと接触しないように、放射導体１６Ｒ及び放射導体１６Ｌのうち、スプリットリング部１２に接続されている一端は、グランドパターン１０１ｇの広がる面と交わる方向にさらに延びていてもよい。
【００８８】
本開示のある態様に係る基板は、本開示のある態様に係るスプリットリング共振器６１におけるグランドパターンから切り離されているグランド端子と接続される端子を備える。
【００８９】
図３０、図３１は、本開示のある態様に係る基板１０１の例を示す図である。
【００９０】
例えば、スプリットリング共振器６１は、基板１０１の縁部に隣接して設けられてもよい。
例えば、スプリットリング共振器６１は、スプリット部１２ｇの離間方向が、隣接する基板１０１の縁部が延びる方向となるように設けられてもよい。
【００９１】
本開示のある態様に係るコネクタは、本開示のある態様に係るスプリットリング共振器６１におけるグランドパターンから切り離されているグランド端子と接続される端子を備える。
【００９２】
図３２は、本開示のある態様に係るコネクタ１０２の例を示す図である。
【００９３】
例えば、スプリットリング共振器６１は、グランドパターン１０２ｇと隣接してコネクタ１０２に設けられてもよい。
例えば、スプリットリング共振器６１は、スプリット部１２ｇの離間方向が、コネクタ１０２の径方向となるように設けられてもよい。
例えば、グランド端子１４はグランドパターン１０２ｇに電線ＷＲを介して接続されてもよい。
【００９４】
放射に寄与する電流Ｉｒは、スプリット部１２ｇの離間方向に流れやすい。このため、図３３の左下に示すように、図３０に示すスプリットリング共振器６１では、離間方向に延びる放射導体１６を備えることで、放射導体１６上を電流Ｉｒが流れる。したがって、図２５に示すスプリットリング共振器５１に比べて、図３０に示すスプリットリング共振器６１の方が、放射特性が良くなる。
さらに、例えば、図３３の右下に示すように、スプリットリング共振器６１は、放射導体として、離間方向に延びた一端から、さらに、スプリットリング共振器６１が広がる面に沿って、離間方向と交差する方向に延びるＬ字形状の放射導体１７を備えてもよい。
図３１に示すスプリットリング共振器６１と図２６に示すスプリットリング共振器５１との比較についても同様である。
図３２に示すスプリットリング共振器６１と図２７に示すスプリットリング共振器５１との比較についても同様である。
【００９５】
本開示のある態様に係るスプリットリング共振器７１は、スプリットリング共振器２１において、前記第一グランド端子を含むすべてのグランド端子が、直線Ｍからみて、片方の側に位置する。直線Ｍは、スプリットリング共振器におけるリングの中心である点Ｃと、プリットリング共振器におけるスプリットと、を結ぶ線分を延伸した直線である（図１参照）。
【００９６】
図３４、図３５、図３６は、本開示のある態様に係るスプリットリング共振器７１の例を示す図である。
【００９７】
例えば、スプリットリング共振器７１は、スプリットリング共振器７１の右側ＲＲ及び左側ＲＬのどちらかに、グランド端子１４を備えてもよい。
例えば、スプリットリング共振器７１の右側ＲＲにグランド端子１４を備えてもよい。
例えば、さらに、グランド端子１４は、第三導体１２ｃの位置に設けられてもよい。
例えば、グランド端子１４は、第三導体１２ｃに接続されてもよい。
例えば、スプリットリング共振器７１は、スプリット部１２ｇの離間方向が、空隙１０１ａの広がる方向と交わるように、空隙１０１ａに設けられる。グランド端子１４は、空隙１０１ａにおいて、空隙１０１ａの広がる方向に延びるグランドパターン１０１ｇの端部に接続されてもよい。
【００９８】
例えば、第三導体１２ｃの位置に、グランド端子１４が設けられているが、スプリットリング共振器７１の右側ＲＲ及び左側ＲＬのどちらかであれば、どのような位置に設けられてもよい。
例えば、グランド端子１４は、第一導体１２aの位置に設けられてもよい。その際、グランド端子１４は、第一導体１２aに接続されてもよい。
例えば、グランド端子１４は、第二導体１２ｂの位置に設けられてもよい。その際、グランド端子１４は、第二導体１２ｂに接続されてもよい。
【００９９】
本開示のある態様に係る基板は、本開示のある態様に係るスプリットリング共振器７１におけるグランドパターンから切り離されているグランド端子と接続される端子を備える。
【０１００】
図３４、図３５は、本開示のある態様に係る基板１０１の例を示す図である。
【０１０１】
例えば、スプリットリング共振器７１は、基板１０１の縁部に隣接して設けられてもよい。
例えば、スプリットリング共振器７１は、スプリット部１２ｇの切断方向が、隣接する基板１０１の縁部が延びる方向となるように設けられてもよい。
【０１０２】
本開示のある態様に係るコネクタは、本開示のある態様に係るスプリットリング共振器７１におけるグランドパターンから切り離されているグランド端子と接続される端子を備える。
【０１０３】
図３６は、本開示のある態様に係るコネクタ１０２の例を示す図である。
【０１０４】
例えば、スプリットリング共振器７１は、グランドパターン１０２ｇと隣接してコネクタ１０２に設けられてもよい。
例えば、スプリットリング共振器７１は、スプリット部１２ｇの切断方向が、コネクタ１０２の径方向となるように設けられてもよい。
例えば、グランド端子１４はグランドパターン１０２ｇに電線ＷＲを介して接続されてもよい。
【０１０５】
図３４に示すスプリットリング共振器７１は、スプリットリング共振器７１の右側ＲＲ及び左側ＲＬのどちらかにグランド端子１４を設ければ、グランドパターン１０１ｇ’と接続しやすい。特に、図３７の右に示すように、スプリットリング共振器７１の右側ＲＲが、グランドパターン１０１ｇ’の縁部に隣接している場合、スプリットリング共振器７１の右側ＲＲにグランド端子１４を設ける方が、左側ＲＬにグランド端子１４を設ける場合（図３７の左に示す比較例）よりも、より接続しやすい。
【０１０６】
本開示のある態様に係るスプリットリング共振器８１は、スプリットリング共振器７１において、一グランド端子が、直線Ｌからみて、スプリットが存在する側に位置する。直線Ｌ上には、点Ｃが存在し、直線Ｌは、点Ｃと、スプリットとを結ぶ線分ｍと直交する（図１参照）。
【０１０７】
図３８、図３９、図４０は、本開示のある態様に係るスプリットリング共振器８１の例を示す図である。
【０１０８】
例えば、スプリットリング共振器８１は、スプリットリング共振器８１の右側ＲＲ及び左側ＲＬのどちらかであって、スプリットリング共振器８１の右側ＲＲにグランド端子１４を備えてもよい。
例えば、スプリットリング共振器８１の右側ＲＲであって、スプリットリング共振器８１の上側ＲＵにグランド端子１４を備えてもよい。
【０１０９】
本開示のある態様に係る基板は、本開示のある態様に係るスプリットリング共振器８１におけるグランドパターンから切り離されているグランド端子と接続される端子を備える。
【０１１０】
図３８、図３９は、本開示のある態様に係る基板１０１の例を示す図である。
【０１１１】
例えば、スプリットリング共振器８１は、基板１０１の縁部に隣接して設けられてもよい。
例えば、スプリットリング共振器８１は、スプリット部１２ｇの切断方向が、隣接する基板１０１の縁部が延びる方向となるように設けられてもよい。
【０１１２】
本開示のある態様に係るコネクタは、本開示のある態様に係るスプリットリング共振器８１におけるグランドパターンから切り離されているグランド端子と接続される端子を備える。
【０１１３】
図４０は、本開示のある態様に係るコネクタ１０２の例を示す図である。
【０１１４】
例えば、スプリットリング共振器８１は、グランドパターン１０２ｇと隣接してコネクタ１０２に設けられてもよい。
例えば、スプリットリング共振器８１は、スプリット部１２ｇの切断方向が、コネクタ１０２の径方向となるように設けられてもよい。
例えば、グランド端子１４はグランドパターン１０２ｇに電線ＷＲを介して接続されていてもよい。
【０１１５】
図３８に示すスプリットリング共振器８１は、図３４に示すスプリットリング共振器７１に比べて、放射に寄与する電流Ｉｒが、図３８に示すスプリットリング共振器８１の上側が流れやすい。このため、図３８に示すスプリットリング共振器８１は、図３４に示すスプリットリング共振器７１に比べて、グランド端子１４を介した電流が、グランドパターン１０１ｇ’に流れやすく、放射特性を良好にできる。
図３９に示すスプリットリング共振器８１と図３５に示すスプリットリング共振器７１との比較についても同様である。
図４０に示すスプリットリング共振器８１と図３６に示すスプリットリング共振器７１との比較についても同様である。
【０１１６】
本開示のある態様に係るスプリットリング共振器９１は、スプリットリング共振器７１又はスプリットリング共振器８１において、放射導体が、直線Ｍからみて、第一グランド端子が存在しない側に備えられている。
【０１１７】
図４１、図４２、図４３は、本開示のある態様に係るスプリットリング共振器９１の例を示す図である。
【０１１８】
例えば、スプリットリング共振器９１は、放射導体１６’を備えてもよい。
例えば、スプリットリング共振器９１は、スプリットリング共振器９１の右側ＲＲ及び左側ＲＬのどちらかのうち、グランド端子１４が設けられている側の反対側に放射導体１６’を備えてもよい。
例えば、スプリットリング共振器９１は、スプリットリング共振器９１の左側ＲＬであって、スプリットリング共振器９１の上側ＲＵに放射導体１６’を備えてもよい。
例えば、放射導体１６’は、第四導体１２ｄに接続されていてもよい。
例えば、放射導体１６’は、スプリットリング部１２に接続されている一端から離間方向に第四導体１２ｄから離れるように延びていてもよい。
例えば、放射導体１６’は、スプリットリング部１２から離間方向に延びる面形状の板金で形成されていてもよい。
【０１１９】
例えば、スプリットリング共振器９１の右側ＲＲ及び左側ＲＬのどちらかであれば、どのような位置にグランド端子１４を備えてもよい。
例えば、スプリットリング共振器９１の右側ＲＲ及び左側ＲＬのどちらかであって、スプリットリング共振器９１の下側ＲＤに、グランド端子１４を備えてもよい。
【０１２０】
本開示のある態様に係る基板は、本開示のある態様に係るスプリットリング共振器９１におけるグランドパターンから切り離されているグランド端子と接続される端子を備える。
【０１２１】
図４１、図４２は、本開示のある態様に係る基板１０１の例を示す図である。
【０１２２】
例えば、スプリットリング共振器９１は、基板１０１の縁部に隣接して設けられてもよい。
例えば、スプリットリング共振器９１は、スプリット部１２ｇの切断方向が、隣接する基板１０１の縁部が延びる方向となるように設けられてもよい。
【０１２３】
本開示のある態様に係るコネクタは、本開示のある態様に係るスプリットリング共振器９１におけるグランドパターンから切り離されているグランド端子と接続される端子を備える。
【０１２４】
図４３は、本開示のある態様に係るコネクタ１０２の例を示す図である。
【０１２５】
例えば、スプリットリング共振器９１は、グランドパターン１０２ｇと隣接してコネクタ１０２に設けられてもよい。
例えば、スプリットリング共振器９１は、スプリット部１２ｇの切断方向が、コネクタ１０２の径方向となるように設けられてもよい。
例えば、グランド端子１４はグランドパターン１０２ｇに電線ＷＲを介して接続されてもよい。
【０１２６】
放射に寄与する電流Ｉｒは、スプリット部１２ｇの離間方向に流れやすい。このため、図４４の左下に示すように、図４１に示すスプリットリング共振器９１では、離間方向に延びる放射導体１６’を備えることで、放射導体１６’上を電流Ｉｒが流れる。したがって、図３８におけるスプリットリング共振器８１に比べて、図４１に示すスプリットリング共振器９１の方が、放射特性を良好にできる。
さらに、図４４の右下に示すように、例えば、スプリットリング共振器９１は、放射導体として、離間方向に延びた一端から、スプリットリング共振器９１が広がる面に沿って、さらに離間方向と交差する方向に延びるＬ字形状の放射導体１７’を備えてもよい。
図４２に示すスプリットリング共振器９１と図３９に示すスプリットリング共振器８１との比較についても同様である。
図４３に示すスプリットリング共振器９１と図４０に示すスプリットリング共振器８１との比較についても同様である。
【０１２７】
以上、各種実施形態を説明したが、この実施形態は、例として示したものであり、発明の範囲を限定することは意図していない。この実施形態は、その他の様々な形態で実施されることが可能であり、発明の要旨を逸脱しない範囲で種々の省略、置き換え、変更を行うことができる。この実施形態やその変形は、発明の範囲や要旨に含まれると同様に、特許請求の範囲に記載された発明とその均等の範囲に含まれるものとする。
【０１２８】
以下に、スプリットリング共振器をリードによって基板等に接続するための構成を示す。
例えば、スプリットリング共振器のグランド端子１４は、図４５に示すように、リード９２で接続されてもよい。
例えば、スプリットリング共振器のグランド端子１４は、図４６に示すように、リード９２で接続されてもよい。
例えば、スプリットリング共振器のグランド端子１４は、図４７に示すように、リード９２で接続されてもよい。
例えば、図４８に示すように、スプリットリング共振器のグランド端子１４は、リード９２で接続されてもよい。スプリットリング共振器の給電線ＷＳは、リード９３で接続されてもよい。
例えば、図４９に示すように、スプリットリング共振器のグランド端子１４は、リード９２で接続されてもよい。スプリットリング共振器の給電線ＷＳは、リード９３で接続されてもよい。
例えば、スプリットリング共振器のグランド端子１４は、図５０に示すように、リード９２で接続されてもよい。
例えば、図５１に示すように、スプリットリング共振器のグランド端子１４及び給電線ＷＳは、各々リード９２及びリード９３で接続されてもよい。
例えば、スプリットリング共振器のグランド端子１４は、図５２に示すように、基板１０１とスプリットリング共振器とがすきまＧを有するように、リード９２で接続されてもよい。
例えば、スプリットリング共振器のグランド端子１４は、図５３に示すように、基板１０１とスプリットリング共振器とがすきまＧを有するように、リード９２で接続されてもよい。
例えば、スプリットリング共振器のグランド端子１４は、図５４に示すように、基板１０１とスプリットリング共振器とがすきまＧを有するように、リード９２で接続されてもよい。
例えば、図５５に示すように、スプリットリング共振器のグランド端子１４及び給電線ＷＳは、基板１０１とスプリットリング共振器とがすきまＧを有するように、各々リード９２及びリード９３で接続されてもよい。
例えば、図５６に示すように、スプリットリング共振器のグランド端子１４及び給電線ＷＳは、基板１０１とスプリットリング共振器とがすきまＧを有するように、各々リード９２及びリード９３で接続されてもよい。
例えば、スプリットリング共振器のグランド端子１４は、図５７に示すように、リード９２で基板１０１に接続されてもよい。
例えば、スプリットリング共振器のグランド端子１４は、図５８に示すように、リード９２で基板１０１に接続されてもよい。
【０１２９】
この出願は、２０１８年４月１２日に日本に出願された特願２０１８―０７７２０３を基礎とする優先権を主張し、その開示の全てをここに取り込む。
【符号の説明】
【０１３０】
１１             スプリットリング共振器
１２              スプリットリング部
１２ａ         第一導体
１２ｂ     第二導体
１２ｃ     第三導体
１２ｄ     第四導体
１２ｇ     スプリット部
１３          給電端子
１４              グランド端子
１５          チップ本体
１５’   プリント基板
１６          放射導体
１６’     放射導体
１６Ｌ     放射導体
１６Ｒ     放射導体
１７              放射導体
１７’     放射導体
２１              スプリットリング共振器
３１              スプリットリング共振器
４１              スプリットリング共振器
４４              グランド端子
５１          スプリットリング共振器
６１              スプリットリング共振器
７１              スプリットリング共振器
８１              スプリットリング共振器
９１              スプリットリング共振器
９２              リード
１０１       基板
１０１ａ       空隙
１０１ｇ       グランドパターン
１０１ｇ’       グランドパターン
１０１ｒ         受け端子
１０２     コネクタ
１０２ｃ   誘電体キャップ
１０２ｇ    グランドパターン
１０２ｓ         給電パターン
１０２ｒ      受け端子
１０３     主回路基板
１０３ｇ        主グランドパターン
１１４         突出パターン
２１４        露出パターン
Ｃ            点
ｆｏ             共振周波数
Ｉｇ            リターン電流
Ｉｒ          電流
Ｉｓ           給電電流
Ｌ                直線
Ｍ             直線
ｍ             線分
ＲＤ           下側
ＲＬ           左側
ＲＲ           右側
ＲＵ           上側
ＳＲ           はんだ
ＷＲ                電線
ＷＳ           給電線
【図１】
2019198588.tif 000003
【図２】
2019198588.tif 000004
【図３】
2019198588.tif 000005
【図４】
2019198588.tif 000006
【図５】
2019198588.tif 000007
【図６】
2019198588.tif 000008
【図７】
2019198588.tif 000009
【図８】
2019198588.tif 000010
【図９】
2019198588.tif 000011
【図１０】
2019198588.tif 000012
【図１１】
2019198588.tif 000013
【図１２】
2019198588.tif 000014
【図１３】
2019198588.tif 000015
【図１４】
2019198588.tif 000016
【図１５】
2019198588.tif 000017
【図１６】
2019198588.tif 000018
【図１７】
2019198588.tif 000019
【図１８】
2019198588.tif 000020
【図１９】
2019198588.tif 000021
【図２０】
2019198588.tif 000022
【図２１】
2019198588.tif 000023
【図２２】
2019198588.tif 000024
【図２３】
2019198588.tif 000025
【図２４】
2019198588.tif 000026
【図２５】
2019198588.tif 000027
【図２６】
2019198588.tif 000028
【図２７】
2019198588.tif 000029
【図２８】
2019198588.tif 000030
【図２９】
2019198588.tif 000031
【図３０】
2019198588.tif 000032
【図３１】
2019198588.tif 000033
【図３２】
2019198588.tif 000034
【図３３】
2019198588.tif 000035
【図３４】
2019198588.tif 000036
【図３５】
2019198588.tif 000037
【図３６】
2019198588.tif 000038
【図３７】
2019198588.tif 000039
【図３８】
2019198588.tif 000040
【図３９】
2019198588.tif 000041
【図４０】
2019198588.tif 000042
【図４１】
2019198588.tif 000043
【図４２】
2019198588.tif 000044
【図４３】
2019198588.tif 000045
【図４４】
2019198588.tif 000046
【図４５】
2019198588.tif 000047
【図４６】
2019198588.tif 000048
【図４７】
2019198588.tif 000049
【図４８】
2019198588.tif 000050
【図４９】
2019198588.tif 000051
【図５０】
2019198588.tif 000052
【図５１】
2019198588.tif 000053
【図５２】
2019198588.tif 000054
【図５３】
2019198588.tif 000055
【図５４】
2019198588.tif 000056
【図５５】
2019198588.tif 000057
【図５６】
2019198588.tif 000058
【図５７】
2019198588.tif 000059
【図５８】
2019198588.tif 000060
【国際調査報告】
2019198588.tif 000061
2019198588.tif 000062
2019198588.tif 000063